(57)【要約】【課題】単に画像を電子メールに添付して送信しておくだけで、所望の地域で安価に画像の印刷を行うことができる印刷サービスプログラムを得る。【解決手段】ユーザは、まず、カメラ付き携帯電話で所望の画像を撮影し（ステップＳ１）、当該画像をメール添付として電子メールに添付してメールサーバ２に送信する（ステップＳ４）。メールサーバ２は、受信した電子メールが、画像を添付しているか否かを判定し（ステップＳ５）、画像が添付されていた場合には、送信元のメールアドレスに基づいたユーザＩＤ、パスワード、ユーザディレクトリ６１を作成し、ユーザＩＤおよびパスワードを当該メールアドレスに送付する（ステップＳ７）。当該ユーザＩＤおよびパスワードが入力されたときに、当該画像がダウンロードされ（ステップＳ９）、印刷される（ステップＳ１０）。【選択図】        図２
2004178552.tif 000002
【特許請求の範囲】
【請求項１】
ユーザから送信される添付画像データを含む電子メールを受信するとともに上記ユーザが使用するメールアドレスに対するユーザＩＤを作成するサーバに、通信網を介して接続するコンピュータに実行させるための印刷サービスプログラムであって、
上記ユーザＩＤが入力されるユーザＩＤ入力ステップと、
上記ユーザＩＤ入力ステップにおける上記ユーザＩＤの入力があったときに、上記サーバに蓄積された上記添付画像データを上記通信網を介してダウンロードする画像データ取得ステップと、
ダウンロードした上記添付画像データの印刷を行う印刷ステップと
をコンピュータに実行させるための印刷サービスプログラム。
【請求項２】
ユーザから送信される添付画像データを含む電子メールを受信するとともに上記添付画像データ又は電子メールに対するユーザＩＤを作成するサーバに、通信網を介して接続するコンピュータに実行させるための印刷サービスプログラムであって、
上記ユーザＩＤが入力されるユーザＩＤ入力ステップと、
上記ユーザＩＤ入力ステップにおける上記ユーザＩＤの入力があったときに、上記サーバに蓄積された上記添付画像データを上記通信網を介してダウンロードする画像データ取得ステップと、
ダウンロードした上記添付画像データの印刷を行う印刷ステップと
をコンピュータに実行させるための印刷サービスプログラム。
【請求項３】
ユーザから送信される添付画像データを含む電子メールを受信するとともに上記ユーザが使用するメールアドレスに対するユーザＩＤ及びパスワードを作成するサーバに、通信網を介して接続するコンピュータに実行させるための印刷サービスプログラムであって、
上記ユーザＩＤ及びパスワードが入力されるユーザＩＤ入力ステップと、
上記ユーザＩＤ入力ステップにおける上記ユーザＩＤ及び上記パスワードの入力があったときに、上記サーバに蓄積された上記添付画像データを上記通信網を介してダウンロードする画像データ取得ステップと、
ダウンロードした上記添付画像データの印刷を行う印刷ステップと
をコンピュータに実行させるための印刷サービスプログラム。
【請求項４】
ユーザから送信される添付画像データを含む電子メールを受信するとともに上記添付画像データ又は電子メールに対するユーザＩＤ及びパスワードを作成するサーバに、通信網を介して接続するコンピュータに実行させるための印刷サービスプログラムであって、
上記ユーザＩＤ及びパスワードが入力されるユーザＩＤ入力ステップと、
上記ユーザＩＤ入力ステップにおける上記ユーザＩＤ及び上記パスワードの入力があったときに、上記サーバに蓄積された上記添付画像データを上記通信網を介してダウンロードする画像データ取得ステップと、
ダウンロードした上記添付画像データの印刷を行う印刷ステップと
をコンピュータに実行させるための印刷サービスプログラム。
【請求項５】
ユーザＩＤを用いた認証を行うとともに指定された画像データの印刷を行うプリント端末に、通信網を介して接続するコンピュータに実行させるための印刷サービスプログラムであって、
上記通信網を介してユーザから送信される添付画像データを含む電子メールを受信する電子メール受信ステップと、
上記ユーザが使用するメールアドレスに対するユーザＩＤを作成するユーザＩＤ作成ステップと、
当該メールアドレスに上記ユーザＩＤを送信するユーザＩＤ送信ステップと、
上記添付画像データを上記ユーザＩＤ別に格納するデータ蓄積ステップと、
をコンピュータに実行させるための印刷サービスプログラム。
【請求項６】
ユーザＩＤを用いた認証を行うとともに指定された画像データの印刷を行うプリント端末に、通信網を介して接続するコンピュータに実行させるための印刷サービスプログラムであって、
上記通信網を介してユーザから送信される添付画像データを含む電子メールを受信する電子メール受信ステップと、
上記添付画像データ又は電子メールに対するユーザＩＤを作成するユーザＩＤ作成ステップと、
当該メールアドレスに上記ユーザＩＤを送信するユーザＩＤ送信ステップと、
上記添付画像データを上記ユーザＩＤ別に格納するデータ蓄積ステップと、
をコンピュータに実行させるための印刷サービスプログラム。
【請求項７】
ユーザＩＤを用いた認証を行うとともに指定された画像データの印刷を行うプリント端末に、通信網を介して接続するコンピュータに実行させるための印刷サービスプログラムであって、
上記通信網を介してユーザから送信される添付画像データを含む電子メールを受信する電子メール受信ステップと、
受信した上記電子メールの本文として、上記ユーザ以外の他のユーザのメールアドレスが記載されているか判別する判別ステップと、
上記判別ステップで他のユーザのメールアドレスが記載されていると判別したとき、上記ユーザが使用するメールアドレス及び当該他のユーザのメールアドレスに対するユーザＩＤ及びパスワードを作成するユーザＩＤ作成ステップと、
上記ユーザＩＤ作成ステップで作成した上記ユーザＩＤ及び上記パスワードを、上記ユーザのメールアドレス及び当該他のユーザのメールアドレスに対して送信するユーザＩＤ送信ステップと、
上記添付画像データを上記ユーザＩＤ別に格納するデータ蓄積ステップと、
をコンピュータに実行させるための印刷サービスプログラム。
【請求項８】
上記他のユーザの上記メールアドレスに送信される上記ユーザＩＤおよび上記パスワードは、上記ユーザのメールアドレスに送信されるものと同一であることを特徴とする請求項７に記載の印刷サービスプログラム。
【請求項９】
上記他のユーザの上記メールアドレスに送信される上記ユーザＩＤおよび上記パスワードは、上記ユーザのメールアドレスに送信されるものと異なるものであることを特徴とする請求項７に記載の印刷サービスプログラム。
【発明の詳細な説明】
【０００１】
【発明の属する技術分野】
この発明は、印刷サービスプログラムに関し、特に、カメラ付き携帯電話で撮影した画像を印刷するための印刷サービスプログラムに関する。
【０００２】
【従来の技術】
従来の印刷サービスシステムとして、携帯電話等のモバイル装置によっては認識できない添付データを、広域ネットワーク接続されている最寄りのプリンタにて印刷するものがある（例えば、特許文献１参照。）。
【０００３】
【特許文献１】
特開２００２−４１４２２号公報
【０００４】
上記特許文献１においては、メールサーバは、添付データが付与された電子メール受信の旨を携帯電話に連絡するとともに、当該電子メールから分離された添付データ及びユーザＩＤをプリントサーバに送信する。複数のプリンタを管理しているプリントサーバは、受信した添付データとユーザＩＤとを記憶するデータ保持部とデータ記憶検索部とを備える。複数のプリンタのうちの１つにユーザＩＤが入力されると、当該プリンタは、入力されたユーザＩＤをプリントサーバに通知し、プリントサーバは、通知されたユーザＩＤに対応する添付データを検索して、プリンタに転送して印刷させる。なお、ユーザＩＤの入力方法としては、携帯電話からは、待機時でもその位置を知らせるために、常時基地局に対して電話番号の情報を含む微弱電波が発信されているので、その発信される電波をプリンタが受信することにより、電話番号をユーザＩＤとして取得する。
【０００５】
【発明が解決しようとする課題】
上記特許文献１に記載の従来の印刷サービスシステムは以上のように構成されているので、例えばカメラ付き携帯電話で撮影した画像を印刷する場合、画像添付で自分自身にメールを送信し、メール本文を受信し、次に、処理確認メールを受信し、その上、添付データ必要メールをサーバに返信する必要がある。携帯電話とサーバ間のやり取りが多く、携帯電話の送信も最低２回必要となり、ユーザの手間がかかるという問題点があった。また、このようにして印刷可能となった画像は、電池切れでなく、かつ、メールを受信した携帯電話を持って行って、ユーザＩＤを入力しなければ、プリンタにデータは転送されないため、携帯電話を忘れた場合や電池切れの場合、または、遠隔地にいる第三者や、あるいは、複数人が、同時に全く違う場所で印刷することは不可能であり、結果的に利点があまりなく、不便であるという問題点があった。また、ユーザＩＤの入力方法として、携帯電話から出ている微弱電波を受信する方法では、プリンタが高価なものになってしまうという問題点があった。
【０００６】
この発明は、かかる問題点を解決するためになされたものであり、単に画像を電子メールに添付して送信しておくだけで、所望の地域で安価に画像の印刷を行うことができる印刷サービスプログラムを得ることを目的とする。
【０００７】
【課題を解決するための手段】
この発明は、ユーザから送信される添付画像データを含む電子メールを受信するとともに上記ユーザが使用するメールアドレスに対するユーザＩＤを作成するサーバに、通信網を介して接続するコンピュータに実行させるための印刷サービスプログラムであって、上記ユーザＩＤが入力されるユーザＩＤ入力ステップと、上記ユーザＩＤ入力ステップにおける上記ユーザＩＤの入力があったときに、上記サーバに蓄積された上記添付画像データを上記通信網を介してダウンロードする画像データ取得ステップと、ダウンロードした上記添付画像データの印刷を行う印刷ステップとをコンピュータに実行させるための印刷サービスプログラムである。
【０００８】
また、この発明は、ユーザから送信される添付画像データを含む電子メールを受信するとともに上記添付画像データ又は電子メールに対するユーザＩＤを作成するサーバに、通信網を介して接続するコンピュータに実行させるための印刷サービスプログラムであって、上記ユーザＩＤが入力されるユーザＩＤ入力ステップと、上記ユーザＩＤ入力ステップにおける上記ユーザＩＤの入力があったときに、上記サーバに蓄積された上記添付画像データを上記通信網を介してダウンロードする画像データ取得ステップと、ダウンロードした上記添付画像データの印刷を行う印刷ステップとをコンピュータに実行させるための印刷サービスプログラムである。
【０００９】
また、この発明は、ユーザから送信される添付画像データを含む電子メールを受信するとともに上記ユーザが使用するメールアドレスに対するユーザＩＤ及びパスワードを作成するサーバに、通信網を介して接続するコンピュータに実行させるための印刷サービスプログラムであって、上記ユーザＩＤ及びパスワードが入力されるユーザＩＤ入力ステップと、上記ユーザＩＤ入力ステップにおける上記ユーザＩＤ及び上記パスワードの入力があったときに、上記サーバに蓄積された上記添付画像データを上記通信網を介してダウンロードする画像データ取得ステップと、ダウンロードした上記添付画像データの印刷を行う印刷ステップとをコンピュータに実行させるための印刷サービスプログラムである。
【００１０】
また、この発明は、ユーザから送信される添付画像データを含む電子メールを受信するとともに上記添付画像データ又は電子メールに対するユーザＩＤ及びパスワードを作成するサーバに、通信網を介して接続するコンピュータに実行させるための印刷サービスプログラムであって、上記ユーザＩＤ及びパスワードが入力されるユーザＩＤ入力ステップと、上記ユーザＩＤ入力ステップにおける上記ユーザＩＤ及び上記パスワードの入力があったときに、上記サーバに蓄積された上記添付画像データを上記通信網を介してダウンロードする画像データ取得ステップと、ダウンロードした上記添付画像データの印刷を行う印刷ステップとをコンピュータに実行させるための印刷サービスプログラムである。
【００１１】
また、この発明は、ユーザＩＤを用いた認証を行うとともに指定された画像データの印刷を行うプリント端末に、通信網を介して接続するコンピュータに実行させるための印刷サービスプログラムであって、上記通信網を介してユーザから送信される添付画像データを含む電子メールを受信する電子メール受信ステップと、上記ユーザが使用するメールアドレスに対するユーザＩＤを作成するユーザＩＤ作成ステップと、当該メールアドレスに上記ユーザＩＤを送信するユーザＩＤ送信ステップと、上記添付画像データを上記ユーザＩＤ別に格納するデータ蓄積ステップと、をコンピュータに実行させるための印刷サービスプログラムである。
【００１２】
また、ユーザＩＤを用いた認証を行うとともに指定された画像データの印刷を行うプリント端末に、通信網を介して接続するコンピュータに実行させるための印刷サービスプログラムであって、上記通信網を介してユーザから送信される添付画像データを含む電子メールを受信する電子メール受信ステップと、上記添付画像データ又は電子メールに対するユーザＩＤを作成するユーザＩＤ作成ステップと、当該メールアドレスに上記ユーザＩＤを送信するユーザＩＤ送信ステップと、上記添付画像データを上記ユーザＩＤ別に格納するデータ蓄積ステップと、をコンピュータに実行させるための印刷サービスプログラムである。
【００１３】
また、この発明は、ユーザＩＤを用いた認証を行うとともに指定された画像データの印刷を行うプリント端末に、通信網を介して接続するコンピュータに実行させるための印刷サービスプログラムであって、上記通信網を介してユーザから送信される添付画像データを含む電子メールを受信する電子メール受信ステップと、受信した上記電子メールの本文として、上記ユーザ以外の他のユーザのメールアドレスが記載されているか判別する判別ステップと、上記判別ステップで他のユーザのメールアドレスが記載されていると判別したとき、上記ユーザが使用するメールアドレス及び当該他のユーザのメールアドレスに対するユーザＩＤ及びパスワードを作成するユーザＩＤ作成ステップと、上記ユーザＩＤ作成ステップで作成した上記ユーザＩＤ及び上記パスワードを、上記ユーザのメールアドレス及び当該他のユーザのメールアドレスに対して送信するユーザＩＤ送信ステップと、上記添付画像データを上記ユーザＩＤ別に格納するデータ蓄積ステップと、をコンピュータに実行させるための印刷サービスプログラムである。
【００１４】
また、上記他のユーザの上記メールアドレスに送信される上記ユーザＩＤおよび上記パスワードは、上記ユーザのメールアドレスに送信されるものと同一である。
【００１５】
また、上記他のユーザの上記メールアドレスに送信される上記ユーザＩＤおよび上記パスワードは、上記ユーザのメールアドレスに送信されるものと異なるものである。
【００１６】
【発明の実施の形態】
実施の形態１．
まず、本発明の印刷サービスシステムの構成について、図１の構成図により説明する。図１に示すように、サーバ１とプリント端末１０とはインターネット３０等の広域通信網により接続されている。また、それらとカメラ付き携帯電話２０とは、通信キャリアネットワーク３１およびインターネット３０を介して接続される。
【００１７】
サーバ１内には、メールサーバ２と、ウェブサイト（利用案内サイト）３と、インターネット３０を介した通信のやりとりを行うためのネットワークインターフェース４とが設けられている。メールサーバ２内には、制御部５と、データ蓄積部６とが設けられている。制御部５は、添付画像データを含む電子メールを受信するメール受信部５１と、電子メールから添付画像データを分離させ、デコードする受信ファイルデコード部５２と、送信元のメールアドレスに基づいたユーザＩＤ、パスワード、ユーザディレクトリを作成するプリントユーザ指定管理部５３と、ユーザＩＤおよびパスワードを送信元のメールアドレスに電子メールとして送信するメール送信部５４と、ユーザディレクトリに格納されている画像データの管理を行うファイル管理部５５とから構成されている。なお、データ蓄積部６内には、各ユーザに対応させて作成された複数の上記ユーザディレクトリ（ａ，…，ｎ）６１が設けられており、画像６２が記憶されている。
【００１８】
プリント端末１０内には、制御部１１と、ネットワークインターフェース１２と、データ保持部１３と、入力部１４とが設けられている。制御部１１は、データ蓄積部６からダウンロードした画像データを受信するデータ受信部１１１と、ダウンロードした当該画像データの画像処理を行う画像処理部１１２と、画像処理された上記画像データをプレビューする画像表示部１１３と、当該画像データの印刷に対する課金処理を行う課金処理部１１４と、当該画像データの印刷を行う印刷処理部１１５とから構成されている。
【００１９】
次に、動作について説明する。図２に処理の流れを示す。ウェブサイト３は各携帯電話キャリアに対応したウェブサイトであり、本発明の印刷サービスを利用したいユーザがインターネットを介してアクセスするものであり、アクセスすると、ユーザが所有する携帯電話２０の画面に、プリント端末１０の設置場所の情報を含む利用案内画面が表示される。なお、ウェブサイト３は、図１の例では、サーバ１内にある例が記載されており、サーバ１内にウェブサイト３とメールサーバ２とを共存させているが、この場合に限らず、それらを独立させていても構わない。ユーザは、まず、カメラ付き携帯電話２０で所望の画像を撮影する（ステップＳ１）。次に、ウェブサイト３の利用案内画面で利用方法を確認し（ステップＳ２，Ｓ３）、その情報に従って、カメラ付き携帯電話２０で撮影した画像をメール添付として電子メールに添付してメールサーバ２に送信する（ステップＳ４）。図３（ａ）に、画像添付電子メールを送信するときの携帯電話２０の画面例を示す。図３（ａ）に示すように、自分のメールアドレスと、メールサーバ２のメールアドレスと、ユーザが画像を特定するための件名と、添付画像データファイル名とが記載されている。このようにして、当該電子メールを受けたメールサーバ２は、メール受信部５１により電子メールを受信する。メール受信部５１は、受信した電子メールが、画像を添付しているか否かを判定し（ステップＳ５）、添付がなければステップＳ６に進み、カメラ付き携帯電話２０に添付なし電子メールを受信した旨の電子メールを送信する。画像が添付されていた場合には、ファイル受信デコード部５２が、電子メールから添付ファイルを抜き出し、デコードし（テキスト→画像ファイルに変換）、プリントユーザ指定管理部５３により、送信元のメールアドレスに基づいたユーザＩＤ、パスワード、ユーザディレクトリ６１を作成する（メールアドレスに基づいたユーザＩＤが既に存在する場合は、既存のユーザＩＤ、パスワード、ユーザディレクトリを使用する）（ステップＳ７）。次に、ファイル管理部５５により、画像ファイルを、データ蓄積部６のユーザディレクトリ６１に保存する。ユーザディレクトリ６１は、各ユーザごとに作成されており、そこに保存された画像データは、ユーザＩＤおよびユーザのメールアドレスにより管理される。次に、メール送信部５４によりユーザＩＤおよびパスワードがユーザに対して電子メールで送信され、携帯電話２０が受信する（ステップＳ８）。図３（ｂ）に、当該電子メールを受信したときの携帯電話２０の画面の一例を示す。
【００２０】
これにより、ユーザディレクトリａ６１内の画像は、プリント端末１０を用いて、ユーザＩＤ、パスワードの２つの情報で印刷できる。プリント端末１０は、インターネット３０でサーバ１と接続されている。ユーザＩＤおよびパスワードの通知メールを受け取ったユーザは、ウェブサイト３を参照して、プリント端末１０が設置してある場所を確認して、当該設置場所に行く。プリント端末１０は、複数のユーザが自由に立ち寄って利用できることが望ましいので、たとえば、コンビニエンスストア、スーパーマーケット、あるいは、百貨店等の店内や、ＤＰＥショップ内、または、駅の構内などに設置する。図４にプリント端末１０の画面の一例を示し、図５にプリント端末１０の外観の一例を示す。プリント端末１０の画面４０はタッチパネルなどから構成されており、図４に示すように、ユーザＩＤやパスワードを入力するためのテンキー４１と、１以上の画像を表示して（図４の例では、８つの画像）、ユーザにどの画面を印刷するかを指で直接触ることにより入力させるプレビュー部４２、前頁および後頁に画面を切り替えるための頁送りボタン４３と、印刷にかかる料金と投入金額が表示される課金表示部４４とが表示されており、これらは、図１の入力部１４を構成している。
【００２１】
図２の説明に戻り、プリント端末１０のところに行ったユーザは、プリント端末１０の入力部１４のテンキー４１を用いて、サーバ２より電子メールで送られてきたユーザＩＤとパスワードを入力すると、プリント端末１０のデータ受信部１１１はサーバ１上のデータ蓄積部６にあるユーザディレクトリａ６１内の全ての画像ファイルをプリント端末１０ヘダウンロードし、データ保持部１３に保存する（ステップＳ９）。ダウンロードした画像ファイルは、画像処理部１１２でサイズ調整して画面表示部１１３ヘサムネイル表示する（すなわち、図４に示すように、複数の画像が同時に表示される。）。画面表示部１１３で画像をプレビューしながら、ユーザは印刷する画像の選択や枚数／サイズの指定を行う。具体的には、プレビュー部４２の画像のいずれかを直接指で触って、画像を選択し、その後に、テンキー４１により、印刷枚数やサイズの指定を行う。また、課金処理部１１４により計算され、画面４０の課金表示部４４に表示されている所定の金額を、ユーザがプリント端末１０のコイン投入口に投入することで、プリント端末１０は印刷処理部１１５により当該画像の印刷を行う（ステップＳ１０）。なお、データ蓄積部６内の画像ファイルは，サーバ１の制御部５内のファイル管理部５５の制御により、保存から一定期間経過したら削除されることとする。従って、一定期間の間は、何回でも、当該画像の印刷を行うことができる。
【００２２】
以上のように、本実施の形態によれば、各携帯電話キャリアに対するウェブサイト３を作成し、そのサイト３よりカメラつき携帯電話２０で撮影した画像をメール添付ファイルとして指定のメールサーバ２に送ることにより、メールサーバ２側から画像送信者（ユーザ）にユーザＩＤとパスワードを返送する。ユーザはそのユーザＩＤおよびパスワードをウェブサイト３に記載のプリント端末１０の設置されている場所に行き、プリント端末１０のタッチパネルにユーザＩＤおよびパスワードを入力することで電子メールに添付して送付された画像を自動でダウンロードでき、その場で印刷する画像を選び、印刷することができる。これにより、カメラ付き携帯電話で撮影した画像を、ユーザの都合に合わせた地域で容易にかつ安価に印刷することができるため、便利である。また、タッチパネルを用いているため、操作性に優れている。
【００２３】
また、ウェブサイト３にユーザがアクセスすることにより、図４の画面に表示されているプレビュー部４２の部分をインターネット３０を介して携帯電話２０もしくはパソコン等の画面に表示できるようにすれば、ユーザは、プリント端末１０のところに行く前に、事前に、所望の画像がデータ蓄積部６内にあるか否かを確認することができ、さらに、利便性が向上する。
【００２４】
実施の形態２．
上記の実施の形態１で説明したユーザＩＤおよびパスワードを第三者に連絡することにより、第三者はユーザ本人と同様に画像を印刷することが出来る。そこで、本実施の形態においては、ユーザから指定された１以上の第三者に対しても、メールサーバ２が、ユーザＩＤおよびパスワードを送信する例について説明する。なお、印刷サービスシステムの全体の構成としては、図１、図４、図５に示したものと同様であるため、これらの図を参照するものとして、ここではその説明を省略する。
【００２５】
図６に本実施の形態における処理の流れを示す。図６において、図２と同一の処理については、同一符号を付して示し、ここでは説明を省略する。ステップＳ１〜Ｓ３の後に、ステップＳ４Ａにおいて、画像データ送付の際に、図７（ａ）に示すように、電子メールの本文に、友人などのユーザ以外の第三者のメールアドレスを書き込む。これにより、ステップＳ７Ａにおいて、メールサーバ２が携帯電話２０にユーザＩＤとパスワードを送信する際に、ステップＳ４Ａでユーザから指定されたユーザ以外の第三者にも、同時に、ユーザＩＤとパスワードが送信される。これにより、ユーザから指定された第三者は、ユーザＩＤおよびパスワードを受信する（ステップＳ８Ａ）。図７（ｂ）に、ユーザおよび第三者が受信した電子メールが表示されている携帯電話の画面の一例を示す。
【００２６】
なお、ユーザＩＤおよびパスワードは、処理の負荷を軽減するためにユーザに送信するものと第三者に送信するものとを同じものにしてもよいが、セキュリティ性を考慮して、ユーザごとに、各々、異なるものにしてもよい。また、ユーザＩＤおよびパスワードは、サーバ１で乱数発生させ、それぞれ、例えば、６桁の数字および４桁の数字によって成り立っているため、プリント端末１０に入力する際、テンキー入力でき、利用者は操作の手間が少なくてすむ。
【００２７】
以上のように、本実施の形態においては、ユーザがメールサーバ２に画像を送信する際に、本文に友人などの第三者のメールアドレスを書き込むことで、ユーザＩＤおよびパスワードをユーザが受信後に改めて第三者に連絡することなく、書き込まれたメールアドレスの友人などにユーザＩＤおよびパスワードが同時に送付されるようにしたので、複数人が同時にそれぞれの都合に合わせた全く違う場所でユーザ本人と同様に、画像を容易にかつ安価に印刷することが可能となり、添付データを共有することが出来る。
【００２８】
なお、上述以外に、第三者が印刷することを可能とする別の方法として、実施の形態１と同様の処理により、メール添付にて画像データを送付して返信されたユーザＩＤおよびパスワードを、ユーザが手動で第三者に電子メールまたは通話により連絡するようにしてもよい。
【００２９】
【発明の効果】
この発明は、ユーザから送信される添付画像データを含む電子メールを受信するとともに上記ユーザが使用するメールアドレスに対するユーザＩＤを作成するサーバに、通信網を介して接続するコンピュータに実行させるための印刷サービスプログラムであって、上記ユーザＩＤが入力されるユーザＩＤ入力ステップと、上記ユーザＩＤ入力ステップにおける上記ユーザＩＤの入力があったときに、上記サーバに蓄積された上記添付画像データを上記通信網を介してダウンロードする画像データ取得ステップと、ダウンロードした上記添付画像データの印刷を行う印刷ステップとをコンピュータに実行させるための印刷サービスプログラムであるので、単に画像を電子メールに添付して送信しておくだけで、所望の地域で安価に画像の印刷を行うことができる。
【図面の簡単な説明】
【図１】本発明の印刷サービスシステムの全体の構成を示した構成図である。
【図２】本発明の実施の形態１に係る印刷サービスシステムの処理の流れを示す流れ図である。
【図３】本発明の実施の形態１に係る印刷サービスシステムに対して用いるカメラ付き携帯電話の画面の一例を示した説明図である。
【図４】本発明の実施の形態１に係る印刷サービスシステムに設けられたプリント端末の画面の一例を示した説明図である。
【図５】本発明の実施の形態１に係る印刷サービスシステムに設けられたプリント端末の外観の一例を示した斜視図である。
【図６】本発明の実施の形態２に係る印刷サービスシステムの処理の流れを示す流れ図である。
【図７】本発明の実施の形態２に係る印刷サービスシステムに対して用いるカメラ付き携帯電話の画面の一例を示した説明図である。
【符号の説明】
１  サーバ、２  メールサーバ、３  ウェブサイト（利用案内サイト）、４  ネットワークインターフェース、５  制御部、６  データ蓄積部、１０  プリント端末、１１  制御部、１２  ネットワークインターフェース、１３  データ保持部、１４  入力部、２０  カメラ付き携帯電話、３０  インターネット、３１通信キャリアネットワーク、４０  画面、４１  テンキー、４２  プレビュー部、４３  頁送りボタン、４４  課金表示部、５１  メール受信部、５２  受信ファイルデコード部、５３  プリントユーザ指定管理部、５４  メール送信部、５５  ファイル管理部、６１  ユーザディレクトリ、６２  画像データ、１１１データ受信部、１１２  画像処理部、１１３  画面表示部、１１４  課金処理部、１１５  印刷処理部。
【図１】
2004178552.tif 000003
【図２】
2004178552.tif 000004
【図３】
2004178552.tif 000005
【図４】
2004178552.tif 000006
【図５】
2004178552.tif 000007
【図６】
2004178552.tif 000008
【図７】
2004178552.tif 000009